(57)【要約】【課題】ユーザの指への負担を軽減し、取手部の強度を高くし、バランスよく積み上げられることを可能とする梱包箱を提供することである。【解決手段】梱包箱は、ユーザによって携帯可能な梱包箱であって、前記梱包箱の内部空間を形成する複数の板部のうちの１つである第１板部と、前記複数の板部のうちの１つであって前記第１板部に連続する第２板部と、前記第１板部の一部が内側に折れ曲がって形成された第１可動片と、前記第２板部の一部が内側に折れ曲がって形成された第２可動片と、を備え、前記第１可動片及び前記第２可動片は、それぞれの先端部が前記第１板部と前記第２板部とから成る稜線部の内側に当接するよう、それぞれの基端部で折れ曲がることによって、前記ユーザに把持される取手部を構成する。【選択図】図１
2019077449.tif 000002
【特許請求の範囲】
【請求項１】
ユーザによって携帯可能な梱包箱であって、
前記梱包箱の内部空間を形成する複数の板部のうちの１つである第１板部と、
前記複数の板部のうちの１つであって前記第１板部に連続する第２板部と、
前記第１板部の一部が内側に折れ曲がって形成された第１可動片と、
前記第２板部の一部が内側に折れ曲がって形成された第２可動片と、
を備え、
前記第１可動片及び前記第２可動片は、それぞれの先端部が前記第１板部と前記第２板部とから成る稜線部の内側に当接するよう、それぞれの基端部で折れ曲がることによって、前記ユーザに把持される取手部を構成する、
梱包箱。
【請求項２】
前記第１可動片及び前記第２可動片は、
それぞれの前記先端部が前記稜線部の内側に向かうよう、それぞれの前記先端部と前記基端部との間を折り曲げる屈曲部を含み、
それぞれの前記屈曲部から前記先端部までの距離が、それぞれの前記基端部を含む平面から前記稜線部までの距離よりも長く、
それぞれの前記先端部が前記稜線部の内側に当接し、それぞれの前記屈曲部から前記先端部までの部分が互いに当接することによって、前記取手部を構成する、
請求項１に記載の梱包箱。
【請求項３】
前記第１可動片及び前記第２可動片は、
それぞれの前記屈曲部から前記基端部までの距離が、互いに等しく、
それぞれの前記屈曲部から前記基端部までの距離の合計が、それぞれの前記基端部同士の距離よりも長い、
請求項２に記載の梱包箱。
【請求項４】
前記第１可動片及び前記第２可動片は、前記稜線部の内側の角度を二等分する平面に対して対称となるように形成される、
請求項１乃至３の何れか一項に記載の梱包箱。
【請求項５】
前記第１板部又は前記第２板部には、前記内部空間に収納された物品の様子を視認可能な窓部が形成される、
請求項１乃至４の何れか一項に記載の梱包箱。
【発明の詳細な説明】
【技術分野】
【０００１】
本発明は、梱包箱に関する。
【背景技術】
【０００２】
物品を持ち運ぶ箱として、段ボール等の紙材料を用いて形成される梱包箱が利用されている。
【０００３】
ユーザが梱包箱を持ち運ぶ方法としては、例えば、ユーザが一対の取手部に両手の指をそれぞれ入れて指に梱包箱の側面の断面を引っかけるように把持して持ち運ぶ方法がよく行われている。一対の取手部は、梱包箱の側面の一部をくり抜いたり、折り曲げたりすることによって形成される。
【０００４】
特許文献１には、梱包箱に形成された取手部の強度を高めるために、取手部を幾重にも重ねるように形成された段ボール製の梱包箱について記載されている。
【先行技術文献】
【特許文献】
【０００５】
【特許文献１】特開２０１２−１８８１４４号公報
【発明の概要】
【発明が解決しようとする課題】
【０００６】
しかしながら、特許文献１の梱包箱では、梱包箱に収納される物品が重量物の場合又は梱包箱を長時間持ち運ぶ場合、ユーザの指に多大な負担をかける虞があった。これは、指が当接する取手部の部分が段ボールの断面部分から形成されており、梱包箱の重量がこの断面部分に当接する指に集中して作用するからである。また、特許文献１の梱包箱では、取手部を重ねるように形成したとしても、ユーザが取手部を把持した際に、取手部の根元に剪断力が生じ取手部を損壊させる虞があった。また、特許文献１の梱包箱では、取手部が梱包箱表面から突出して形成されるため、梱包箱を積み上げる際に取手部が干渉し梱包箱をバランスよく積み上げることが困難であった。
【０００７】
本発明は、上述の事情に鑑みてなされたものであり、上述のような問題点を解決することを課題の一例とする。すなわち、本発明の課題の一例は、ユーザの指への負担を軽減し、取手部の強度を高くし、バランスよく積み上げられることを可能とする梱包箱を提供することである。
【課題を解決するための手段】
【０００８】
本発明の１つの観点に係る梱包箱は、ユーザによって携帯可能な梱包箱であって、前記梱包箱の内部空間を形成する複数の板部のうちの１つである第１板部と、前記複数の板部のうちの１つであって前記第１板部に連続する第２板部と、前記第１板部の一部が内側に折れ曲がって形成された第１可動片と、前記第２板部の一部が内側に折れ曲がって形成された第２可動片と、を備え、前記第１可動片及び前記第２可動片は、それぞれの先端部が前記第１板部と前記第２板部とから成る稜線部の内側に当接するよう、それぞれの基端部で折れ曲がることによって、前記ユーザに把持される取手部を構成する。
【０００９】
好適には、前記梱包箱において、前記第１可動片及び前記第２可動片は、それぞれの前記先端部が前記稜線部の内側に向かうよう、それぞれの前記先端部と前記基端部との間を折り曲げる屈曲部を含み、それぞれの前記屈曲部から前記先端部までの距離が、それぞれの前記基端部を含む平面から前記稜線部までの距離よりも長く、それぞれの前記先端部が前記稜線部の内側に当接し、それぞれの前記屈曲部から前記先端部までの部分が互いに当接することによって、前記取手部を構成する。
【００１０】
好適には、前記梱包箱において、前記第１可動片及び前記第２可動片は、それぞれの前記屈曲部から前記基端部までの距離が、互いに等しく、それぞれの前記屈曲部から前記基端部までの距離の合計が、それぞれの前記基端部同士の距離よりも長い。
【００１１】
好適には、前記梱包箱において、前記第１可動片及び前記第２可動片は、前記稜線部の内側の角度を二等分する平面に対して対称となるように形成される。
【００１２】
好適には、前記梱包箱において、前記第１板部又は前記第２板部には、前記内部空間に収納された物品の様子を視認可能な窓部が形成される。
【発明の効果】
【００１３】
本発明の１つの観点に係る梱包箱は、ユーザの指への負担を軽減し、取手部の強度を高くし、バランスよく積み上げられることを可能とする。
【図面の簡単な説明】
【００１４】
【図１】本発明の実施の形態１に係る梱包箱の斜視図である。
【図２】本発明の実施の形態１に係る梱包箱の展開図である。
【図３】本発明の実施の形態１に係る梱包箱の取手部の形成過程を示す図である。
【図４】本発明の実施の形態１に係る梱包箱の取手部の断面を示す図である。
【図５】本発明の実施の形態２に係る梱包箱の断面を示す図である。
【図６】本発明の実施の形態３に係る梱包箱の斜視図である。
【発明を実施するための形態】
【００１５】
本発明の実施の形態を添付図面に基づいて説明する。
【００１６】
＜実施の形態１＞
図１は、本発明の実施の形態１に係る梱包箱１の斜視図である。図２は、本発明の実施の形態１に係る梱包箱１の展開図である。
【００１７】
梱包箱１は、物品Ｐが内部空間に収納され、ユーザによって携帯され持ち運ばれる箱体である。梱包箱１は、段ボール等の紙材料又は樹脂材料等を用いて、直方体の形状に形成される。
【００１８】
梱包箱１は、梱包箱１の内部空間を形成し、ユーザが折り曲げ可能な厚みを有する複数の板部１０を備える。複数の板部１０は、直方体の６面を構成する。複数の板部１０は、連続する４つの板部１０ａ〜１０ｄと、フラップ５０とを含む。４つの板部１０ａ〜１０ｄは、互いに同一の長方形形状に形成され、梱包箱１の４つの側面を構成する。フラップ５０は、４つの板部１０ａ〜１０ｄのそれぞれの各短辺に連続して設けられ、梱包箱１の底面を構成する。図２では、４つの板部１０ａ〜１０ｄのそれぞれの連続部分と、４つの板部１０ａ〜１０ｄとフラップ５０のそれぞれの連続部分とが、破線で示されている。梱包箱１は、これらの連続部分が山折りに折り曲げられることで組み立てられる。この際、梱包箱１は、板部１０ａののりしろ部１５と板部１０ｄの内面とが接着される。
【００１９】
梱包箱１は、図１及び図２に示すように、第１板部１１と、第２板部１２と、第１可動片１１０と、第２可動片１２０とを少なくとも備えている。さらに、梱包箱１は、窓部１４を備えてよい。
【００２０】
第１板部１１は、梱包箱１を形成する複数の板部１０のうちの１つである。図２では、４つの板部１０ａ〜１０ｄのうちの板部１０ａが、第１板部１１に該当する。
【００２１】
第２板部１２は、第１板部１１と同様に梱包箱１を形成する複数の板部１０のうちの１つであり、第１板部１１と連続する板部１０である。図２では、４つの板部１０ａ〜１０ｄのうちの板部１０ｄが、第２板部１２に該当する。ここで、連続する板部１０は、梱包箱１の組み立て後に隣り合っている板部１０のことであり、組み立て前に隣り合っている必要はない。
【００２２】
第１可動片１１０は、第１板部１１の一部が内側に折れ曲がって形成された部分である。第１可動片１１０の形成後、第１可動片１１０が存在した位置の第１板部１１の一部には、第１可動片１１０と同じ大きさの穴が形成される。この穴は、ユーザの指が入る程度の大きさである。第１可動片１１０は、第１可動片１１０の先端部を示す第１先端部１１１と、第１可動片１１０の基端部を示す第１基端部１１３と、第１先端部１１１から第１基端部１１３までの間で折り曲げられる第１屈曲部１１２とを含む。
【００２３】
第２可動片１２０は、第２板部１２の一部が内側に折れ曲がって形成された部分である。第２可動片１２０の形成後、第２可動片１２０が存在した位置の第２板部１２の一部には、第２可動片１２０と同じ大きさの穴が形成される。この穴は、ユーザの指が入る程度の大きさである。第２可動片１２０は、第２可動片１２０の先端部を示す第２先端部１２１と、第２可動片１２０の基端部を示す第２基端部１２３と、第２先端部１２１から第２基端部１２３までの間で折り曲げられる第２屈曲部１２２とを含む。
【００２４】
第１可動片１１０及び第２可動片１２０は、第１板部１１と第２板部１２とから成る稜線部１３の内側の角度を二等分する平面Ｆ２に対して対称となるように形成可能である。このため、第１可動片１１０及び第２可動片１２０の形成後、第１板部１１に形成された穴の大きさ及び位置と第２板部１２とに形成された穴の大きさ及び位置とは、互いに同一となり得る。
【００２５】
第１可動片１１０及び第２可動片１２０は、第１先端部１１１及び第２先端部１２１が稜線部１３の内側に当接するよう、第１基端部１１３及び第２基端部１２３で折れ曲がることによって、取手部Ｇを構成する。ユーザは、第１可動片１１０及び第２可動片１２０の形成後に生じた穴に指を入れ、取手部Ｇを把持することで、梱包箱１を片手で持ち運ぶことができる。
【００２６】
窓部１４は、梱包箱１の内部空間に収納された物品Ｐの様子を視認可能な窓部である。窓部１４には、梱包箱１に収納された物品Ｐが外部に突出したり、落下したりすることを防止するために、セロファン等の透明な膜が貼り付けられる。窓部１４は、第１板部１１又は第２板部１２に形成されている。
【００２７】
図３は、本発明の実施の形態１に係る梱包箱１の取手部Ｇの形成過程を示す図である。図３（ａ）は、取手部Ｇの形成前の第１可動片１１０及び第２可動片１２０の様子を示す。図３（ｂ）は、取手部Ｇの形成途中の第１可動片１１０及び第２可動片１２０の様子を示す。図３（ｃ）は、取手部Ｇの形成後の第１可動片１１０及び第２可動片１２０の様子を示す。
【００２８】
図３（ａ）に示されるように、第１板部１１には、その一部を折り曲げて第１可動片１１０を形成するために、第１可動片１１０の輪郭部分に対して、コの字型の切れ込み加工が施されている。さらに、第１板部１１には、折り目となる第１屈曲部１１２及び第１基端部１１３に対して、容易に折り曲げられるよう罫線加工が施されている。また、第２板部１２には、第１板部１１と同様の加工が施されている。
【００２９】
図３（ｂ）に示されるように、第１可動片１１０は、第１先端部１１１が図３（ａ）の状態から内側に押し込まれることによって、稜線部１３の内側に向かうように第１屈曲部１１２で折れ曲がる。また、第２可動片１２０も、第１可動片１１０と同様に、第２屈曲部１２２で折れ曲がる。
【００３０】
図３（ｃ）に示されるように、第１可動片１１０は、第１屈曲部１１２が図３（ｂ）の状態から内側に押し込まれることによって、第１先端部１１１が稜線部１３の内側に向かうよう第１基端部１１３で折れ曲がる。そして、第１可動片１１０は、第１先端部１１１が稜線部１３の内側に当接する。また、第２可動片１２０も、第１可動片１１０と同様に、第２先端部１２１が稜線部１３の内側に当接するよう第２基端部１２３で折れ曲がる。このような過程で、取手部Ｇが形成される。
【００３１】
図４は、本発明の実施の形態１に係る梱包箱１の取手部Ｇの断面を示す図である。図４は、取手部Ｇの形成後の第１可動片１１０及び第２可動片１２０をｘｚ平面で切断した断面を模式的に示す。
【００３２】
第１可動片１１０及び第２可動片１２０は、第１先端部１１１及び第２先端部１２１が稜線部１３の内側に当接するよう、第１基端部１１３及び第２基端部１２３で折れ曲がることによって、取手部Ｇを構成する。このため、取手部Ｇは、梱包箱１の板部１０から外側に突出するように形成されない。よって、梱包箱１は、バランスよく積み上げ可能となる。
【００３３】
さらに、第１可動片１１０及び第２可動片１２０は、第１板部１１及び第２板部１２のそれぞれの一部が内側に折れ曲がることによって形成される。このため、取手部Ｇでは、ユーザの指が、第１板部１１及び第２板部１２の厚さ方向の断面部分に当接するのではなく、第１板部１１及び第２板部１２の表面部分に当接して、ユーザに把持される。よって、梱包箱１では、第１板部１１及び第２板部１２の表面部分をユーザに把持させるため、指への負担を軽減することができる。
【００３４】
さらに、第１可動片１１０及び第２可動片１２０では、第１先端部１１１及び第２先端部１２１が稜線部１３の内側に当接する。このため、取手部Ｇでは、第１基端部１１３及び第２基端部１２３に加わる力を、第１先端部１１１及び第２先端部１２１から稜線部１３の内側に伝達させ得る。その結果、取手部Ｇでは、把持される際、第１板部１１及び第２板部１２から第１基端部１１３及び第２基端部１２３を引き剥がそうとする剪断力が低減され得る。よって、梱包箱１では、取手部Ｇの根元に生じる剪断力が低減されるため、取手部Ｇの強度を高くすることができる。その上、第１可動片１１０及び第２可動片１２０は、取手部Ｇが把持される度に第１先端部１１１及び第２先端部１２１が稜線部１３に衝突することがなく、第１先端部１１１及び第２先端部１２１に撃力を生じさせない。よって、梱包箱１では、取手部Ｇが劣化し難くなる。
【００３５】
また、第１可動片１１０及び第２可動片１２０は、第１屈曲部１１２から第１先端部１１１までの距離ｃ１が、第１基端部１１３及び第２基端部１２３を含む平面Ｆ１から稜線部１３の内側までの距離ｄよりも長い。同様に、第２屈曲部１２２から第２先端部１２１までの距離ｃ２が、距離ｄよりも長い。このため、取手部Ｇは、把持される際、距離ｃ１及びｃ２が距離ｄ以下の場合のように第１基端部１１３及び第２基端部１２３で主に支持されるのではなく、第１屈曲部１１２及び第２屈曲部１２２でも主に支持される。その結果、取手部Ｇでは、第１屈曲部１１２及び第２屈曲部１２２が追加されることによって、第１基端部１１３及び第２基端部１２３に加わる力が、第１屈曲部１１２及び第２屈曲部１２２に分散し得る。よって、梱包箱１では、取手部Ｇに発生する応力集中を緩和し得るため、取手部Ｇの強度をさらに高くすることができる。
【００３６】
また、第１可動片１１０及び第２可動片１２０は、第１先端部１１１及び第２先端部１２１が稜線部１３の内側に向かい稜線部１３の内側に当接するよう、第１屈曲部１１２及び第２屈曲部１２２で折り曲げられる。このため、取手部Ｇでは、把持される際、第１屈曲部１１２及び第２屈曲部１２２に加わる力が、第１屈曲部１１２から第１先端部１１１までの部分及び第２屈曲部１２２から第２先端部１２１までの部分に伝達される。そして、第１屈曲部１１２から第１先端部１１１までの部分及び第２屈曲部１２２から第２先端部１２１までの部分には、これらの部分を圧縮する力に対する反力が生じ、第１屈曲部１１２及び第２屈曲部１２２に加わる力をさらに低減し得る。それにより、第１基端部１１３及び第２基端部１２３に加わる力は、第１屈曲部１１２及び第２屈曲部１２２から伝達される力が低減されることによって、さらに低減され得る。その結果、取手部Ｇでは、把持される際、第１板部１１及び第２板部１２から第１基端部１１３及び第２基端部１２３を引き剥がそうとする剪断力が、大幅に低減され得る。よって、梱包箱１では、取手部Ｇの根元に生じる剪断力が大幅に低減されるため、取手部Ｇの強度をさらに高くすることができる。
【００３７】
また、第１可動片１１０及び第２可動片１２０は、第１屈曲部１１２から第１先端部１１１までの部分と、第２屈曲部１２２から第２先端部１２１までの部分とが互いに当接する。この際、第１可動片１１０及び第２可動片１２０は、互いに対称であるため、第１基端部１１３及び第１屈曲部１１２を元に戻そうとする復元力と、第２基端部１２３及び第２屈曲部１２２を元に戻そうとする復元力とが相殺される。このため、第１可動片１１０及び第２可動片１２０の当接状態は維持される。よって、梱包箱１では、取手部Ｇの形状が維持されるため、指への負担を安定して軽減することができると共に、取手部Ｇの強度を安定して高くすることができる。
【００３８】
また、第１可動片１１０及び第２可動片１２０は、第１屈曲部１１２から第１基端部１１３までの距離ａ１と、第２屈曲部１２２から第２基端部１２３までの距離ａ２とが互いに等しい。そして、第１屈曲部１１２から第１基端部１１３までの距離ａ１と、第２屈曲部１２２から第２基端部１２３までの距離ａ２の距離の合計が、第１基端部１１３及び第２基端部１２３同士の距離ｂよりも長い。このため、第１可動片１１０及び第２可動片１２０は、第１基端部１１３及び第２基端部１２３を含む平面Ｆ１から稜線部１３の反対側に突出し、突出した形状が二等辺三角柱となり得る。その結果、取手部Ｇでは、この突出した二等辺三角柱の形状がユーザの指の形状に沿うように追従し得る。よって、梱包箱１では、指への負担をさらに軽減することができる。
【００３９】
また、第１可動片１１０及び第２可動片１２０は、稜線部１３の内側の角度を二等分する平面Ｆ２に対して対称となるように形成される。このため、取手部Ｇでは、第１板部１１と第２板部１２とに形成された穴を含む取手部Ｇの全体の形状が、稜線部１３の内側の角度を二等分する平面Ｆ２に対して対称形となり得る。よって、梱包箱１では、ユーザは、窓部１４がある第１板部１１側から取手部Ｇを把持する場合でも、窓部１４がない第２板部１２側から取手部Ｇを把持する場合でも、同じように取手部Ｇを把持することができる。
【００４０】
特に、取手部Ｇでは、第１先端部１１１と第１屈曲部１１２と第１基端部１１３とを含んで形成されるトラス構造と、第２先端部１２１と第２屈曲部１２２と第２基端部１２３とを含んで形成されるトラス構造とが、同一構造となる。よって、梱包箱１では、取手部Ｇの強度をさらに高くすることができる。
【００４１】
また、第１板部１１又は第２板部１２には、梱包箱１の内部空間に収納された物品Ｐの様子を視認可能な窓部１４が形成される。このため、ユーザは、例えば、梱包箱１の内部に収納された物品Ｐの様子又は梱包箱１の収納状況を視認しながら梱包箱１を持ち運ぶことができる。また、梱包箱１では、窓部１４がユーザの身体と反対側になるように取手部Ｇが把持された場合は、物品Ｐの様子又は梱包箱１内の装飾を外部に見せることになる。このため、ユーザは、梱包箱１を持ち運びながら物品Ｐ又は梱包箱１内の装飾の宣伝をすることもできる。
【００４２】
以上のように、実施の形態１に係る梱包箱１は、第１板部１１及び第２板部１２の表面をユーザに把持させるため、指への負担を軽減することができる。さらに、実施の形態１に係る梱包箱１は、取手部Ｇの根元に生じる剪断力が低減され、第１先端部１１１及び第２先端部１２１を劣化し難くすることができるため、取手部Ｇの強度を高くすることができる。さらに、実施の形態１に係る梱包箱１では、取手部Ｇが板部１０から外側に突出するように形成されないため、バランスよく積み上げ可能となる。よって、実施の形態１に係る梱包箱１は、ユーザの指への負担を軽減し、取手部の強度を高くし、バランスよく積み上げられることを可能とする。
【００４３】
また、実施の形態１に係る梱包箱１は、距離ｃ１及びｃ２が距離ｄより長く、第１屈曲部１１２から第１先端部１１１までの部分と第２屈曲部１２２から第２先端部１２１までの部分とが互いに当接する。このため、実施の形態１に係る梱包箱１は、取手部Ｇにかかる応力集中を緩和し得るため、取手部Ｇの強度を高くすることができる。さらに、実施の形態１に係る梱包箱１は、取手部Ｇの根元に生じる剪断力が大幅に低減されるため、取手部Ｇの強度をさらに高くすることができる。さらに、実施の形態１に係る梱包箱１は、取手部Ｇの形状を維持することができるため、ユーザの指への負担を安定して軽減することができると共に、取手部Ｇの強度を安定化して高くすることができる。
【００４４】
また、実施の形態１に係る梱包箱１は、距離ａ１及びａ２が互いに等しく、その合計が距離ｂより長い。このため、実施の形態１に係る梱包箱１は、平面Ｆ１から稜線部１３の反対側に突出した取手部Ｇの形状がユーザの指の形状に沿うように追従して、指への負担をさらに軽減することができる。
【００４５】
また、実施の形態１に係る梱包箱１は、取手部Ｇの全体の形状が、稜線部１３の内側の角度を二等分する平面Ｆ２に対して対称形となり得る。このため、実施の形態１に係る梱包箱１は、ユーザが、第１板部１１及び第２板部１２のどちら側から取手部Ｇを把持したとしても、同じように取手部Ｇを把持することができる。
【００４６】
また、実施の形態１に係る梱包箱１では、第１板部１１又は第２板部１２に窓部１４が形成されているため、ユーザは、物品Ｐの様子等を視認しながら梱包箱１を持ち運ぶことができるし、物品Ｐ等の宣伝をしながら梱包箱１を持ち運ぶこともできる。
【００４７】
なお、梱包箱１では、その形状が直方体以外の多角柱形状であってもよい。その場合、多角柱の側面同士に第１可動片１１０と第２可動片１２０とが形成され、取手部Ｇが構成されてもよい。あるいは、多角柱の側面と底面とに第１可動片１１０と第２可動片１２０とが形成され、取手部Ｇが構成されてもよい。また、梱包箱１の形状は、円錐又は多角錐等の稜線部１３を備える他の形状であってもよい。
また、梱包箱１では、第１可動片１１０又は第２可動片１２０のそれぞれに複数の屈曲部が存在していてもよい。複数の屈曲部が存在していても、第１可動片１１０及び第２可動片１２０の第１先端部１１１及び第２先端部１２１が稜線部１３の内側に当接していれば、図１〜図４に示された梱包箱１と同様の効果を得ることができる。
また、梱包箱１の折れ目には、ミシン目の切り加工等の、罫線以外の加工が施されていてもよい。また、梱包箱１の折り目には、折り目の位置を示す目印等が施されていてもよい。
また、梱包箱１の取手部Ｇは、人に把持される取手部に限定されず、ドローン等の無人航空機又は人型ロボットに把持される取手部であってよい。
【００４８】
＜実施の形態２＞
実施の形態２に係る梱包箱１は、実施の形態１と異なり、ボード１６及びラップ１７が追加された構成を備えている。
【００４９】
図５は、本発明の実施の形態２に係る梱包箱１の断面を示す図である。図５は、取手部Ｇの形成後のボード１６及びラップ１７が追加された梱包箱１をｘｚ平面で切断した断面を示す。
【００５０】
ボード１６は、梱包箱１の内部空間に備えられ、収納される物品Ｐの位置及び姿勢を固定するために設けられる。物品Ｐは、ボード１６に載せられ、ラップ１７等のビニールで覆われることによって、ボード１６に固定される。
【００５１】
このように、実施の形態２に係る梱包箱１では、ボード１６及びラップ１７を備えているため、物品Ｐの位置及び姿勢が変わることはなく固定された状態でユーザが持ち運ぶことができる。よって、実施の形態２に係る梱包箱１では、物品Ｐに対して梱包箱１のサイズが大きい場合であっても物品Ｐを安定してユーザが持ち運ぶことができる。
【００５２】
なお、物品Ｐをボード１６に固定する方法は、輪ゴム等の弾性体で物品Ｐをボード１６ごと縛り付けるように固定してもよい。あるいは、剥離自在な接着剤等で物品Ｐをボード１６に貼り付けてもよい。
【００５３】
＜実施の形態３＞
実施の形態３に係る梱包箱１は、実施の形態１及び実施の形態２とは異なり、複数の取手部Ｇが形成された構成を備えている。
【００５４】
図６は、本発明の実施の形態３に係る梱包箱１の斜視図である。図６（ａ）は、梱包箱１の稜線部１３に沿って複数の取手部Ｇが形成された例を示す。図６（ｂ）は、梱包箱１の対向する２つの稜線部１３の一対の取手部Ｇがそれぞれ形成された例を示す。
【００５５】
図６（ａ）に示された梱包箱１は、稜線部１３に沿って複数の取手部Ｇが形成されているため、ユーザは、取手部Ｇを必要に応じて持ち替えることができる。例えば、梱包箱１に収納された物品Ｐの重心が図の＋ｙ軸方向側にある場合には、ユーザは＋ｙ軸方向側の取手部Ｇに持ち替えることができる。
【００５６】
また、図６（ｂ）に示された梱包箱１は、梱包箱１の対向する２つの稜線部１３に一対の取手部Ｇが形成されているため、ユーザは、梱包箱１の姿勢を保ったまま両手で把持することができる。例えば、物品Ｐがペットボトル等の飲料物である場合、ユーザは片手で持ち運ぶことが困難である。しかし、図６（ｂ）に示された梱包箱１は、一対の取手部Ｇが形成されているため、ユーザは、梱包箱１の姿勢を保ったまま両手で持ち運ぶことができる。
【００５７】
このように、実施の形態３に係る梱包箱１は、複数の取手部Ｇを備えているため、物品Ｐに応じて、色々な運搬形態を提供することができ、安定した持ち運びができる。
【００５８】
上述の実施の形態において、梱包箱１は、特許請求の範囲に記載された「梱包箱」の一例に該当する。
複数の板部１０は、特許請求の範囲に記載された「複数の板部」の一例に該当する。
第１板部１１は、特許請求の範囲に記載された「第１板部」の一例に該当する。
第１可動片１１０は、特許請求の範囲に記載された「第１可動片」の一例に該当する。
第１先端部１１１は、特許請求の範囲に記載された「先端部」の一例に該当する。
第１屈曲部１１２は、特許請求の範囲に記載された「屈曲部」の一例に該当する。
第１基端部１１３は、特許請求の範囲に記載された「基端部」の一例に該当する。
第２板部１２は、特許請求の範囲に記載された「第２板部」の一例に該当する。
第２可動片１２０は、特許請求の範囲に記載された「第２可動片」の一例に該当する。
第２先端部１２１は、特許請求の範囲に記載された「先端部」の一例に該当する。
第２屈曲部１２２は、特許請求の範囲に記載された「屈曲部」の一例に該当する。
第２基端部１２３は、特許請求の範囲に記載された「基端部」の一例に該当する。
稜線部１３は、特許請求の範囲に記載された「稜線部」の一例に該当する。
窓部１４は、特許請求の範囲に記載された「窓部」の一例に該当する。
取手部Ｇは、特許請求の範囲に記載された「取手部」の一例に該当する。
【００５９】
上述の実施の形態は、変形例を含めて各実施の形態同士で互いの技術を適用し得ることは、当業者には明らかであろう。例えば、実施の形態３では、複数の取手部Ｇが構成されることが示されている。物品Ｐを固定する場合に、実施の形態２に示されているボード１６及びラップ１７を実施の形態３の梱包箱１に追加して使用することができる。
【００６０】
上述の説明は、制限ではなく単なる例示を意図している。従って、特許請求の範囲を逸脱することなく本発明の実施の形態に変更を加えることができることは、当業者には明らかであろう。
【符号の説明】
【００６１】
１      梱包箱
１０    複数の板部
１１    第１板部
１１０  第１可動片
１１１  第１先端部
１１２  第１屈曲部
１１３  第１基端部
１２    第２板部
１２０  第２可動片
１２１  第２先端部
１２２  第２屈曲部
１２３  第２基端部
１３    稜線部
１４    窓部
１５    のりしろ部
１６    ボード
１７    ラップ
５０    フラップ
Ｆ１    第１基端部及び第２基端部を含む平面
Ｆ２    稜線部の内側の角度を二等分する平面
Ｇ      取手部
Ｐ      物品
ａ１    第１屈曲部から第１基端部までの距離
ａ２    第２屈曲部から第２基端部までの距離
ｂ      第１基端部及び第２基端部同士の距離
ｃ１    第１屈曲部から第１先端部までの距離
ｃ２    第２屈曲部から第２先端部までの距離
ｄ      平面Ｆ１から稜線部までの距離
【図１】
2019077449.tif 000003
【図２】
2019077449.tif 000004
【図３】
2019077449.tif 000005
【図４】
2019077449.tif 000006
【図５】
2019077449.tif 000007
【図６】
2019077449.tif 000008